(57)【要約】【課題】テーブルを支持アームを介した連結によって遠くまで展開させられるようにしてもテーブルの収納スペースを嵩張らせないようにする。【解決手段】テーブル本体１１を支持台４に連結する支持アーム１２は、支持台４に第１の回転軸１２Ａにより連結され、テーブル本体１１に第２の回転軸１２Ｂにより連結され、回転によりテーブル本体１１を支持台４内部の収納位置と支持台４から引き出した展開位置との間で移動させる。テーブル本体１１の展開・収納は、支持アーム１２の第１の回転軸１２Ａまわりの回転とテーブル本体１１の第２の回転軸１２Ｂまわりの回転とが互いに相反する方向に行われて、支持アーム１２とテーブル本体１１とを屈伸させる態様で行われ、収納位置ではテーブル本体１１と支持アーム１２とが互いの成す角を閉じて形状を重合させ、展開位置ではテーブル本体１１と支持アーム１２とが互いの成す角を開いた展開状態となる構成とされている。【選択図】図９
2015214239.tif 000002
【特許請求の範囲】
【請求項１】
乗物用テーブルであって、
物載せとなるテーブル本体と、
該テーブル本体をベースに対して支持アームを介して動かせる状態に連結するテーブル移動装置と、を有し、
前記支持アームは、前記ベースに第１の回転軸により回転可能に連結されると共に前記テーブル本体に第２の回転軸により回転可能に連結された状態とされ、その回転移動に伴って前記テーブル本体を所定の収納位置と展開位置との間で移動させるようになっており、
前記テーブル本体の展開移動及び収納移動は、前記支持アームの前記ベースに対する前記第１の回転軸まわりの回転と、前記テーブル本体の前記支持アームに対する前記第２の回転軸まわりの回転とが、互いに相反する方向に行われて、前記支持アームと前記テーブル本体とを前記第２の回転軸まわりに互いに屈伸運動させる態様で行われ、前記収納位置では前記テーブル本体と前記ベースとが互いの成す角を閉じて形状を重ね合わせた収納状態となり、前記展開位置では前記テーブル本体と前記支持アームとが互いの成す角を開いた展開状態となる構成とされていることを特徴とする乗物用テーブル。
【請求項２】
請求項１に記載の乗物用テーブルであって、
前記ベースが乗物用シートの側部箇所に設定され、前記テーブル本体が前記ベース内に収納された位置からシート幅方向の内側に展開される構成とされており、前記テーブル本体が前記ベース内に収納された状態では前記第２の回転軸が前記ベース内の前記第１の回転軸の後側に前後方向に並んで配置される構成とされていることを特徴とする乗物用テーブル。
【請求項３】
請求項２に記載の乗物用テーブルであって、
前記テーブル本体が前記ベース内で外側下がりに傾斜した姿勢状態で収納され、シート幅方向の内側への展開移動により斜めに上がりながら展開される構成となっていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、支持アームを介して乗物用シートの側部のアームレストに展開・収納可能に連結された状態とされている。上記テーブルは、上記支持アームを介した連結により、アームレストから離れた遠い位置へ展開されるようになっている。
【先行技術文献】
【特許文献】
【０００３】
【特許文献１】特開平３−５００３７号公報
【発明の概要】
【発明が解決しようとする課題】
【０００４】
しかし、上記従来技術では、支持アームがテーブルから延出していることによって、テーブルの収納スペースが嵩張ってしまうという問題がある。本発明は、上述した問題を解決するものとして創案されたものであって、本発明が解決しようとする課題は、テーブルを支持アームを介した連結によって遠くまで展開させられるようにしても、テーブルの収納スペースを嵩張らせないようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して支持アームを介して動かせる状態に連結するテーブル移動装置と、を有する。支持アームは、ベースに対して第１の回転軸により回転可能に連結されると共にテーブル本体に対して第２の回転軸により回転可能に連結された状態とされ、その回転移動に伴ってテーブル本体を所定の収納位置と展開位置との間で移動させるようになっている。テーブル本体の展開移動及び収納移動は、支持アームのベースに対する第１の回転軸まわりの回転と、テーブル本体の支持アームに対する第２の回転軸まわりの回転とが、互いに相反する方向に行われて、支持アームとテーブル本体とを第２の回転軸まわりに互いに屈伸運動させる態様で行われ、収納位置ではテーブル本体とベースとが互いの成す角を閉じて形状を重ね合わせた収納状態となり、展開位置ではテーブル本体と支持アームとが互いの成す角を開いた展開状態となる構成とされている。
【０００７】
この第１の発明によれば、テーブル本体の収納状態では、テーブル本体と支持アームとが互いの形状を重ねるため、収納スペースを嵩張らせないようにすることができる。なおかつ、テーブル本体の展開状態では、支持アームとテーブル本体とが互いの成す角を開くため、テーブル本体を遠くまで展開移動させることができる。
【０００８】
第２の発明は、上述した第１の発明において、次の構成とされているものである。ベースが乗物用シートの側部箇所に設定されている。テーブル本体がベース内に収納された位置からシート幅方向の内側に展開される構成とされている。テーブル本体がベース内に収納された状態では、第２の回転軸がベース内の第１の回転軸の後側に前後方向に並んで配置される構成とされている。
【０００９】
この第２の発明によれば、テーブル本体は、ベース内の収納位置から支持アームを前側の第１の回転軸のまわりにシート内側へ回転させながら、支持アームの後側の第２の回転軸のまわりにシート内側へ回転する態様で展開される。したがって、テーブル本体を着座者から遠い軌跡を通るように回転移動させることができながら、より前方側の位置に展開させることができる。
【００１０】
第３の発明は、上述した第２の発明において、次の構成とされているものである。テーブル本体がベース内で外側下がりに傾斜した姿勢状態で収納され、シート幅方向の内側への展開移動により斜めに上がりながら展開される構成となっている。
【００１１】
この第３の発明によれば、支持アームを長くしてテーブル本体をベース内の収納位置からより高い位置に展開させられるようにしても、テーブル本体の収納スペースを嵩張らせないようにすることができる。
【図面の簡単な説明】
【００１２】
【図１】実施例１のテーブルが使用位置に展開された状態を示す斜視図である。
【図２】同正面図である。
【図３】同平面図である。
【図４】テーブルの収納状態を示す斜視図である。
【図５】同正面図である。
【図６】同平面図である。
【図７】テーブルが斜めの展開位置まで引き出された状態を示す斜視図である。
【図８】同正面図である。
【図９】テーブル移動装置の動きを表した模式図である。
【発明を実施するための形態】
【００１３】
以下に、本発明を実施するための形態について、図面を用いて説明する。
【実施例１】
【００１４】
始めに、実施例１のテーブル１０の構成について、図１〜図９を用いて説明する。本実施例のテーブル１０は、図１〜図９に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。
【００１６】
上述したテーブル移動装置１０Ｍは、図１〜図３に示すように、テーブル本体１１を支持台４に対して支持する支持アーム１２を備えた構成となっている。上述した支持アーム１２は、図３、図６及び図９に示すように、矩形状の平板部材によって構成されており、その一端側の縁部が上述した支持台４の内部において第１の回転軸１２Ａにより回転可能に連結され、他端側の縁部が第２の回転軸１２Ｂによりテーブル本体１１の底部に回転可能に連結された状態とされている。
【００１７】
また、上述した支持アーム１２は、図１〜図２に示すように、その先端側寄りの中間部箇所が、第３の回転軸１２Ｃにより中折れ状に面外方向に回転できる状態とされた構成となっている。これにより、支持アーム１２は、上述したテーブル本体１１を支持台４の内部からシート内側上方に斜めの角度姿勢で引き出した後、上記第３の回転軸１２Ｃまわりの中折れ回転によってテーブル本体１１を水平姿勢の使用位置の状態に倒し込むことができる構成となっている。
【００１８】
ここで、上述した第１の回転軸１２Ａは、図２、図５及び図８に示すように、上述した支持台４の内部において、その軸方向がシート外側上方に斜めに延びる向きに設けられた状態とされている。また、第２の回転軸１２Ｂは、上述した支持アーム１２が中折れ回転する前の平板状態において、上述した第１の回転軸１２Ａと平行な状態となる向きに設けられた状態とされている。このような構成となっていることにより、支持アーム１２は、支持台４に対してシート外側に斜めに傾けられた姿勢状態で、上述した第１の回転軸１２Ａを中心に、支持台４の内部に収められた収納位置（図４〜図６参照）と、支持台４のシート内側に張り出す形に引き出された展開位置（図７〜図９）と、の間で斜めに回転することができるように設けられた状態とされている。また、上述した支持アーム１２は、上述した支持台４に対して、上述した支持台４の内部に収められた収納位置（図４〜図６参照）と、支持台４のシート内側の側面部に形成された開口部４Ａからシート内側に張り出す形に引き出された展開位置（図７〜図９）と、の間の９０度の角度範囲でのみ回転可能となるように、これらの間に設けられた図示しないストッパ構造によって回動範囲が規制された状態とされている。
【００１９】
上述した支持アーム１２は、図４〜図６に示すように、上述した支持台４の内部において、上述した第１の回転軸１２Ａと第２の回転軸１２Ｂとが前後方向に真っ直ぐに並んだ状態として、その板長方向が前後方向に真っ直ぐに向けられた状態に収納されるようになっている。そして、上記支持アーム１２は、上記支持台４内部の収納位置状態から、図７〜図９に示すように、第１の回転軸１２Ａを中心にシート内側前方に向かって９０度回転して、その板長方向がシート内側上方に向かって斜めに真っ直ぐに向けられた状態に展開されるようになっている。この展開回転により、支持アーム１２は、後にテーブル本体１１を水平姿勢に落とし込む際の回転軸となる第３の回転軸１２Ｃがアームレスト５より高い位置まで引き上げられた状態とされるようになっている。
【００２０】
テーブル本体１１は、図１〜図３に示すように、矩形状の平板部材によって構成されており、その裏面側の中間部に、上述した支持アーム１２の第３の回転軸１２Ｃのまわりに中折れ可能とされた先端部が一体的に連結された状態とされている。これにより、テーブル本体１１は、上述した支持アーム１２に対して、第３の回転軸１２Ｃを中心に首振り運動することができる状態とされている。具体的には、テーブル本体１１は、図１〜図２に示すように、上述した支持アーム１２が支持台４の内部からシート内側上方に斜めに引き出された展開状態において、支持アーム１２の上部に形状を重ねた斜めの傾斜位置と、上記傾斜位置から水平角度まで落とし込まれた使用位置と、の間で、支持アーム１２に対して第３の回転軸１２Ｃのまわりに首振り運動（起倒回転）することができる状態とされている。
【００２１】
上述したテーブル本体１１は、詳しくは、その水平姿勢の使用位置に展開された状態において横幅方向の中央部よりシート外側寄りの位置で支持アーム１２の先端部と連結された構成となっている。これにより、テーブル本体１１は、支持アーム１２が上述した斜めの角度姿勢まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用によって、上述した傾斜位置へ跳ね上げられにくい状態に保たれやすい構成とされている。
【００２２】
上述したテーブル本体１１は、上記水平姿勢の使用位置の状態まで落とし込まれることにより、支持アーム１２の第３の回転軸１２Ｃまわりに中折れ回転する先端部の底面が支持アーム１２の本体部に形成された係止部１２Ｄに当たって、その落とし込み方向の回転が係止されるようになっている。上述したテーブル本体１１は、図７〜図９に示すように、上述した支持アーム１２に対して、第２の回転軸１２Ｂを中心に、支持アーム１２の先端部から支持アーム１２の第２の回転軸１２Ｂから第１の回転軸１２Ａに向かう方向とは反対方向に向かって板長方向が延びる回転位置と、図４〜図６に示すように、支持アーム１２の先端部から支持アーム１２の第２の回転軸１２Ｂから第１の回転軸１２Ａに向かう方向に向かって板長方向が延びる回転位置と、の間の１８０度の角度範囲でのみ回転可能となるように、これらの間に設けられた図示しないストッパ構造によって回動範囲が規制された状態とされている。
【００２３】
このような構成となっていることにより、テーブル本体１１は、上述した支持アーム１２が支持台４の内部で前後方向に板長方向を向けて収納された状態となる時には、この支持アーム１２と互いの板形状を高さ方向に重ね合わせる形で、その板長方向を前後方向に向けた状態として支持台４の内部に収納されるようになっている。このとき、テーブル本体１１は、上述した支持アーム１２が支持台４の内部でシート外側に斜めに傾けられた姿勢状態で収納されるようになっていることにより、同じくシート外側に斜めに傾けられた状態として支持台４の内部に収納されるようになっている。これにより、テーブル本体１１は、支持台４の内部でシート幅方向にコンパクトな姿勢状態で収納されるようになっている。
【００２４】
そして、上記テーブル本体１１が上述した支持台４の内部に収納されている状態から、使用者がテーブル本体１１をシート内側に引き込むように操作することにより、図７〜図９に示すように、テーブル本体１１自体が第２の回転軸１２Ｂのまわりに支持アーム１２に対してシート内側に回転していくと共に、この動きに連れられて支持アーム１２が第１の回転軸１２Ａのまわりに支持台４に対してシート内側に回転する。これにより、支持アーム１２が支持台４から第１の回転軸１２Ａを中心にシート内側に向かって斜め上がりに真っ直ぐに延びる形に９０度回転すると共に、テーブル本体１１が上記シート内側上方に斜めに向けられる支持アーム１２の先端部からその延長方向（シート内側上方）に更に延びる形に第２の回転軸１２Ｂを中心にシート内側に１８０度回転する。これにより、テーブル本体１１が支持台４から支持アーム１２を介してシート内側に大きく張り出す形に展開された状態となる。
【００２５】
そして、上記テーブル本体１１は、上記のように支持アーム１２と共に支持台４からシート内側上方に斜めに張り出す位置まで展開されることにより、上述したように支持アーム１２の中折れする第３の回転軸１２Ｃがアームレスト５より高い位置まで引き上げられることに伴って、アームレスト５よりも高い位置まで持ち上げられた状態となる。そして、上記テーブル本体１１は、上記支持台４からシート内側上方に斜めに張り出す展開位置に展開されることにより、自重によって支持アーム１２の第３の回転軸１２Ｃを中心に水平角度まで落とし込まれて係止された状態となる（図１〜図３参照）。
【００２６】
以上をまとめると、本実施例のテーブル１０は次のような構成となっている。すなわち、本実施例のテーブル１０は、物載せとなるテーブル本体１１と、テーブル本体１１をベース（支持台４）に対して支持アーム１２を介して動かせる状態に連結するテーブル移動装置１０Ｍと、を有する。支持アーム１２は、ベース（支持台４）に対して第１の回転軸１２Ａにより回転可能に連結されると共にテーブル本体１１に対して第２の回転軸１２Ｂにより回転可能に連結された状態とされ、その回転移動に伴ってテーブル本体１１を所定の収納位置と展開位置との間で移動させるようになっている。テーブル本体１１の展開移動及び収納移動は、支持アーム１２のベース（支持台４）に対する第１の回転軸１２Ａまわりの回転と、テーブル本体１１の支持アーム１２に対する第２の回転軸１２Ｂまわりの回転とが、互いに相反する方向に行われて、支持アーム１２とテーブル本体１１とを第２の回転軸１２Ｂまわりに互いに屈伸運動させる態様で行われ、収納位置ではテーブル本体１１とベース（支持台４）とが互いの成す角を閉じて形状を重ね合わせた収納状態となり、展開位置ではテーブル本体１１と支持アーム１２とが互いの成す角を開いた展開状態となる構成とされている。
【００２７】
このような構成となっていることにより、テーブル本体１１の収納状態では、テーブル本体１１と支持アーム１２とが互いの形状を重ねるため、収納スペースを嵩張らせないようにすることができる。なおかつ、テーブル本体１１の展開状態では、支持アーム１２とテーブル本体１１とが互いの成す角を開くため、テーブル本体１１をベース（支持台４）から遠くの位置まで展開移動させることができる。
【００２８】
また、テーブル本体１１がベース（支持台４）内に収納された状態では、第２の回転軸１２Ｂがベース（支持台４）内の第１の回転軸１２Ａの後側に前後方向に並んで配置される構成とされている。このような構成となっていることにより、テーブル本体１１は、ベース（支持台４）内の収納位置から支持アーム１２を前側の第１の回転軸１２Ａのまわりにシート内側へ回転させながら、支持アーム１２の後側の第２の回転軸１２Ｂのまわりにシート内側へ回転する態様で展開される。したがって、テーブル本体１１を着座者から遠い軌跡を通るように回転移動させることができながら、より前方側の位置に展開させることができる。
【００２９】
また、テーブル本体１１がベース（支持台４）内で外側下がりに傾斜した姿勢状態で収納され、シート幅方向の内側への展開移動により斜めに上がりながら展開される構成となっている。このような構成となっていることにより、支持アーム１２を長くしてテーブル本体１１をベース（支持台４）内の収納位置からより高い位置に展開させられるようにしても、テーブル本体１１の収納スペースを嵩張らせないようにすることができる。
【００３０】
以上、本発明の実施形態を１つの実施例を用いて説明したが、本発明は上記実施例のほか各種の形態で実施することができるものである。
【００３１】
例えば、テーブル本体は、ベースに対して、水平方向の回転のみによって所定の収納位置と展開位置との間で回転移動される構成であってもよい。また、上記実施例では、ベースが乗物用シートの側部箇所に設定され、テーブル本体がベース内に収納された位置からシート幅方向の内側に展開される構成とされ、テーブル本体がベース内に収納された状態では、第２の回転軸がベース内の第１の回転軸の後側に前後方向に並んで配置される構成とされたものを示したが、第２の回転軸が第１の回転軸の前側に前後方向に並んで配置される構成とされたものであってもよい。また、テーブル本体がベース内で内側下がりに傾斜した姿勢状態で収納され、シート幅方向の内側への展開移動により斜めに下がりながら展開される構成となっているものであってもよい。また、テーブル移動装置は、支持アームやテーブル本体が直角や１８０度の回転以外の回転角でテーブル本体を展開・収納させる構成であってもよい。
【符号の説明】
【００３２】
１      シート
２      シートバック
３      シートクッション
４      支持台（ベース）
４Ａ    開口部
５      アームレスト
１０    テーブル
１０Ｍ  テーブル移動装置
１１    テーブル本体
１２    支持アーム
１２Ａ  第１の回転軸
１２Ｂ  第２の回転軸
１２Ｃ  第３の回転軸
１２Ｄ  係止部
【図１】
2015214239.tif 000003
【図２】
2015214239.tif 000004
【図３】
2015214239.tif 000005
【図４】
2015214239.tif 000006
【図５】
2015214239.tif 000007
【図６】
2015214239.tif 000008
【図７】
2015214239.tif 000009
【図８】
2015214239.tif 000010
【図９】
2015214239.tif 000011